(57)【要約】【課題】一般ユーザーが効果的に身体を鍛えることが可能な運動用具を提供する。【解決手段】本体部１０と、手で握る把持部２１を有して前記本体部１０の外の方向に向いた面から同方向に突出して設けられた一対のハンドル部２０と、を備え、前記一対のハンドル部２０は、前記把持部２１の長さ方向に平行な仮想線Ｌが交差する向きで、前記本体部１０に取り付けられている。このような構成によれば、手首にかかる負担を小さくすることができ、もって一般ユーザーが効果的に身体を鍛えることができる。【選択図】図２
2018201805.tif 000002
【特許請求の範囲】
【請求項１】
本体部と、手で握る把持部を有して前記本体部の外の方向に向いた面から同方向に突出して設けられた一対のハンドル部と、を備え、
前記一対のハンドル部は、前記把持部の長さ方向に平行な仮想線が交差する向きで、前記本体部に取り付けられている運動用具。
【請求項２】
前記仮想線の交差角度が異なる複数対のハンドル部を備えている請求項１に記載の運動用具。
【請求項３】
前記仮想線が平行をなす向きで前記本体部に取り付けられている前記一対のハンドル部とは別の一対のハンドル部を備えている請求項１または請求項２に記載の運動用具。
【請求項４】
前記本体部が、中空な袋体と、前記袋体の内部に収容された負荷付与物体と、を備えている請求項１ないし請求項３のいずれか一項に記載の運動用具。
【発明の詳細な説明】
【技術分野】
【０００１】
本発明は、運動用具に関する。
【背景技術】
【０００２】
従来、ストレッチ運動を補助したり、体幹を鍛えたりするため等に使用される各種の運動用具が知られている（例えば下記特許文献１に記載）。また、この種の運動用具として、例えば下記非特許文献１に記載されているように、水と空気が入った円柱形状をなすバッグに、ハンドル部が取り付けられたものが知られている。この運動用具は、バッグの中で水が動くことによりバッグの重心が変化するため、同じトレーニングであってもダンベル等に比べて筋肉にかかる負担が増し、効果的に身体を鍛えることができる。また、この運動器具は、手で握る把持部がバッグの軸線に対して平行に取り付けられている一対のハンドル部と、直角に取り付けられている一対のハンドル部とを備えている。どちらのハンドル部を握っても手首が曲がった状態になるため、筋肉にかかる負担はさらに増し、より効果的に身体を鍛えることができる。
【先行技術文献】
【特許文献】
【０００３】
【特許文献１】特開２０１６−０８７２２７号公報
【非特許文献１】株式会社ビービースポーツ、ウォーターバッグ  ３０ｋｇ TＧ049 BODYMAKER（ボディメーカー）公式 スポーツ用品・トレーニング用品通販サイト、〔ｏｎｌｉｎｅ〕、〔平成２９年４月１２日検索〕、インターネット＜URL：http://www.bodymaker.jp/shop/g/gTＧ049/＞
【発明の概要】
【発明が解決しようとする課題】
【０００４】
しかしながら、上記のような構成の運動器具は、プロのスポーツ選手などがトレーニングに使用することには適しているけれども、一般ユーザーが使用することには適していない。なぜなら、手首が曲がった状態で、水が揺動するバッグを取り扱うことは、一般ユーザーにとって手首の負担が大きすぎるからである。
【０００５】
本発明は上記のような事情に基づいて完成されたものであって、一般ユーザーが効果的に身体を鍛えることが可能な運動用具を提供することを目的とする。
【課題を解決するための手段】
【０００６】
本発明の運動用具は、本体部と、手で握る把持部を有して前記本体部の外の方向に向いた面から同方向に突出して設けられた一対のハンドル部と、を備え、前記一対のハンドル部は、前記把持部の長さ方向に平行な仮想線が交差する向きで、前記本体部に取り付けられているものである。なお、「同方向に突出して設けられた一対のハンドル部」とは、一対のハンドル部を並び方向から見たときに、両ハンドル部の一部が互いに重なって見える範囲で、両ハンドル部の位置が並び方向と交差方向にずれているものを含む。言い換えると、「同方向に突出して設けられた一対のハンドル部」とは、一対のハンドル部を並び方向から見たときに、両ハンドル部の全体を視認できるほどに、両ハンドル部の位置が並び方向と交差方向にずれているものを含まない、という意味である。
【発明の効果】
【０００７】
本発明によれば、一対のハンドル部の把持部が、自然な握り角度に近いように傾いているから、手首にかかる負担を小さくすることができ、もって一般ユーザーが効果的に身体を鍛えることができる。また、ハンドル部を持つ向きによって、体幹（胴体）を鍛えやすくしたり、腕を鍛えやすくすることができる。
【図面の簡単な説明】
【０００８】
【図１】実施例１における運動用具を示す斜視図
【図２】運動用具を示す右側面図
【図３】運動用具を示す左側面図
【図４】運動用具を示す平面図
【図５】運動用具を示す底面図
【図６】運動用具を示す正面図
【図７】運動用具を示す背面図
【図８】給水栓を示す斜視図
【図９】給水栓が閉じられた状態を示す断面図
【図１０】使用者が第１の向きのハンドル部を順手で握った状態を示す概略図
【図１１】使用者が図１０に示した状態から運動用具を持ち上げた様子を示す概略図
【図１２】使用者が第１の向きのハンドル部を逆手で握った状態を示す概略図
【図１３】使用者が図１２に示した状態から運動用具を持ち上げた様子を示す概略図
【図１４】使用者が第２の向きのハンドル部を順手で握った状態を示す概略図
【図１５】使用者が図１４に示した状態から運動用具を持ち上げた様子を示す概略図
【図１６】使用者が第２の向きのハンドル部を逆手で握った状態を示す概略図
【図１７】使用者が図１６に示した状態から運動用具を持ち上げた様子を示す概略図
【図１８】実施例２における運動用具を示す斜視図
【図１９】第１ハンドル部を正面に見た運動用具の側面図
【図２０】第２ハンドル部を正面に見た運動用具の側面図
【図２１】第３ハンドル部を正面に見た運動用具の側面図
【図２２】運動用具を示す正面図
【図２３】運動用具を示す背面図
【図２４】実施例３における運動用具を示す斜視図
【図２５】運動用具を示す側面図
【発明を実施するための形態】
【０００９】
本発明の好ましい形態を以下に示す。
本発明の運動用具は、前記仮想線の交差角度が異なる複数対のハンドル部を備えているものとしてもよい。このような構成によれば、把持するハンドル部を選択することで、負荷を与える部位を変える（多種類の運動をする）ことができる。
【００１０】
また、本発明の運動用具は、前記仮想線が平行をなす向きで前記本体部に取り付けられている前記一対のハンドル部とは別の一対のハンドル部を備えているものとしてもよい。このような構成によれば、手首が曲がった状態での運動、すなわちハードなトレーニングもすることができる。
【００１１】
また、本発明の運動用具は、前記本体部が、中空な袋体と、前記袋体の内部に収容された負荷付与物体と、を備えているものとしてもよい。このような構成によれば、手首の負担を低減しつつ、本体部の重心が変化することによる効果的なトレーニングを行うことができる。
【００１２】
＜実施例１＞
以下、本発明を具体化した実施例１について、図１〜図１７を参照しつつ詳細に説明する。
本実施例における運動用具Ｅは、プロのスポーツ選手に限らず、一般ユーザーが、体幹（胴体の深層部にある筋肉）を鍛えるためのトレーニング等を、効果的に行うことができる運動用具である。この運動用具Ｅは、従来のプロ使用のものに比べてコンパクトなものとされている。
【００１３】
運動用具Ｅは、所定の重量をもった本体部１０と、本体部１０を持ち上げる際に手で握るハンドル部２０とを備えている。ハンドル部２０は、両手がそれぞれのハンドル部２０を握るように一対ずつ設けられている。一対のハンドル部２０は、標準体型の人の肩幅と同程度の間隔をあけて配置されている。
【００１４】
本体部１０は、全体として柱状をなし、本体部１０の長さ寸法（軸方向の寸法）は、標準的な体型の人の胴体の幅（人を正面から見たときの左右方向の幅）より大きい寸法とされている。本体部１０は、断面円形状をなし、幅寸法（径方向の寸法）は、手のひらを広げたくらいの寸法とされている。
【００１５】
本体部１０は、中空な袋体１１と、袋体１１の内部に収容された負荷付与物体Ｇと、を備えている。負荷付与物体Ｇは、袋体１１の向きが変えられることにより流動する流動体であり、本実施例では液体（水）とされている。
【００１６】
袋体１１は、負荷付与物体Ｇと空気とで円柱状に膨らんでいる。袋体１１は、中が透けて見える透明なビニールシート等のシート材からなり、負荷付与物体Ｇは着色されている。負荷付与物体Ｇの量を調整することで、本体部１０の重量を変更することができる。
【００１７】
本体部１０の軸方向における両端面のうち一方の端面には、給水栓３０が備えられている。給水栓３０は、逆止弁付きの給水栓であり、空気及び負荷付与物体Ｇの充填完了後、給水栓３０を閉じるまでの間の空気漏れを効果的に防ぐことができる。
【００１８】
給水栓３０は、図８及び図９に示すように、中心に貫通孔３１を有して袋体１１に溶着されているホルダ部３２と、貫通孔３１に着脱される中栓部３３とを備えている。
【００１９】
ホルダ部３２は、中栓部３３が収容される収容部３４と、収容部３４の開口端縁に沿って張り出して設けられた外縁部３５とを備えている。外縁部３５は、袋体１１に溶着されている。収容部３４は、中栓部３３の概ね全体を収容可能な深さを有し、収容部３４の底に貫通孔３１が形成されている。
【００２０】
中栓部３３は、全体として筒状をなす筒状部３６を有し、筒状部３６の軸方向における中間部には、径方向外側へ突出する鍔状部３７が設けられている。筒状部３６の一端側は貫通孔３１に嵌め込まれる脚部３８、他端側は貫通孔３１から突出する頭部３９とされている。鍔状部３７のうち脚部３８側の面には、リング状をなすゴム製の止水部材４１が装着されている。止水部材４１は、貫通孔３１の周縁部に密着する。
【００２１】
脚部３８には、複数の開口４２が形成された端板４３が備えられている。開口４２は、円形状をなして端板４３に貫通形成されている。端板４３のうち袋体１１の内部に臨む面は、ゴム製の弁部材４４によって覆われている。弁部材４４は板状をなし、給水時には開口４２を開くように弾性変形し、給水が完了すると弾性復帰して開口４２を閉じる。
【００２２】
給水栓３０は、筒状部３６を閉塞する蓋部４５を備えている。蓋部４５は、頭部３９に螺合されるキャップ状をなしている。蓋部４５のうち頭部３９の開口縁に当接する部分には、リング状をなすゴム製の止水部材４６が装着されている。
【００２３】
蓋部４５は、筒状部３６に係止する係止部４７を有して中栓部３３に一体的に保持されている。係止部４７は、筒状部３６の外周面に形成された係止溝４８に係止する。なお、係止部４７は、鍔状部３７と貫通孔３１の周縁部との間に挟まれるリング状部材４９を一体に備えている。
【００２４】
本体部１０の軸方向における両端面のうち他方の端面は、緩やかに外向きに膨らんで湾曲している。運動用具Ｅは、この面を下に向け、給水栓３０を上に向けた姿勢で縦置きすることができる。
【００２５】
ハンドル部２０は、手で握る把持部２１を有している。把持部２１は、自然に握った手のひらの内側に形成される空間に合うような幅及び厚さを有する棒状をなしている。把持部２１は、アーチ状をなすように緩やかに湾曲し、軸方向における両端部が本体部１０に固定されている。把持部２１と本体部１０の周面との間には、手を入れることができる把持空間Ｈがあいている。
【００２６】
把持部２１は、図６等に示すように、長さ方向における端から中央に向かって次第に厚さ寸法が増す形状とされ、把持部２１の中央部が最も厚い部分となっている。また、把持部２１の幅寸法ＬＨ（図２参照）は、長さ方向における端から中央に向かって次第に小さくなる形状とされ、把持部２１の中央部が最も幅狭となっている。把持部２１の外面（表裏両面及び両側面）は、端から中央に向かって凹むように緩やかに湾曲している。
【００２７】
把持部２１の表面（本体部１０とは反対側の面）には、凹凸形状をなす滑り止め部２２が形成されている。滑り止め部２２は、複数の細い溝であり、把持部２１を短手方向に横切って（把持部２１の長さ方向に交差する向きに延びて）形成されている。溝の長さ寸法は、把持部２１の長さ方向における端から中央に向かって次第に増している。なお、滑り止め部２２は、把持部２１の裏面（本体部１０と対向する側の面）にも形成されている。
【００２８】
把持部２１の両端部は、シート状をなして本体部１０に取り付けられたハンドル取付部材２３に固定されている（図３参照）。把持部２１の両端部には、把持部２１の端から外側に張り出した略方形のシート状をなす固定部２４が備えられている。固定部２４は、ハンドル取付部材２３の表面に沿って重ねられ、ハンドル取付部材２３に縫い付けられている。固定部２４の半分以上の領域がハンドル取付部材２３に縫い付けられ、固定部２４の端部（縫い付けられていない部分）がハンドル取付部材２３から立ち上っている（図６等参照）。
【００２９】
ハンドル取付部材２３は、例えばポリ塩化ビニル（ＰＶＣ）等の樹脂製であり、本体部１０の周面に沿うシート状をなしている。ハンドル取付部材２３は、把持部２１の平面的な大きさよりも一回り大きい長円形状をなしている。ハンドル取付部材２３の幅方向及び長手方向の略中心に、把持部２１が配されている。
【００３０】
ハンドル取付部材２３は、本体部１０に溶着されている。ハンドル取付部材２３の外周縁部が、本体部１０に溶着されている。ハンドル取付部材２３は、接着剤等により本体部１０に接着してよいものの、溶着することにより、より強固に取り付けることができる。
【００３１】
一対のハンドル部２０は、本体部１０の外面（外の方向に向いた面）から同方向に突出して設けられた一組のハンドル部２０からなる。一対のハンドル部２０は、図２及び図３に示すように、把持部２１の長さ方向に平行な仮想線Ｌが交差する向きで、本体部１０に取り付けられている。言い換えると、ハンドル部２０は、本体部１０の軸線に対して傾いている。このハンドル部２０は、手首を曲げていない自然な状態で握った手のひらの内側に形成される空間（手のひらと曲げられた４本の指との間に形成される空間）の傾きに沿う向きで傾いている。一対のハンドル部２０は、本体部１０の軸方向に対して逆向きに傾斜している。一対のハンドル部２０は、本体部１０の軸方向における中心を基準に対称な形状（対称な配置）となっている。
【００３２】
本実施例の運動用具Ｅは、仮想線Ｌの交差角度が異なる２組（２対）のハンドル部２０を備えている。２組のハンドル部２０（以後、一方の組のハンドル部２０を第１ハンドル部２０Ｆ、他方の組のハンドル部２０を第２ハンドル部２０Ｓと称する）は、異なる方向に突出している。本実施例では、第１ハンドル部２０Ｆは本体部１０の左側に突出し、第２ハンドル部２０Ｓは本体部１０の右側に突出している。第１ハンドル部２０Ｆと第２ハンドル部２０Ｓとは、本体部１０において１８０度反対側の位置に設けられている（図６参照）。すなわち図２に示すように、第１ハンドル部２０Ｆを手前側に向けると、第２ハンドル部２０Ｓは反対側を向くようになっている。
【００３３】
第１ハンドル部２０Ｆは、図２に示すように、本体部１０の軸線に対して直角に近い角度で配置されている。第１ハンドル部２０Ｆの仮想線Ｌと本体部１０の軸線との交差角度はおよそ８５度とされている。
【００３４】
第２ハンドル部２０Ｓは、図３に示すように、本体部１０の軸線に対して第１ハンドル部２０Ｆよりも倒れた（平行に近い）角度配置されている。第２ハンドル部２０Ｓの仮想線Ｌと本体部１０の軸線との交差角度はおよそ２５度とされている。
【００３５】
第１ハンドル部２０Ｆと第２ハンドル部２０Ｓとは、本体部１０の軸方向における位置が揃っている。言い換えると、第１ハンドル部２０Ｆの長手方向中心の位置と、第２ハンドル部２０Ｓの長手方向中心の位置とが、本体部１０の軸方向においてほぼ同じ位置となっている。一対の第１ハンドル部２０Ｆの中心同士の間隔と、一対の第２ハンドル部２０Ｓの中心同士の間隔とはほぼ同じである。なお、ハンドル部２０及びハンドル取付部材２３は、全て共通のものが使用されている。
【００３６】
次に、本実施例における運動用具Ｅの製造方法の一例を説明する。
まず、本体部１０の袋体１１を構成するシート状部材を形成する。本体部１０の周面を形成する方形状の周面シート部材と、本体部１０の端面を形成する円形状の端面シート部材とを形成する。周面シート部材の所定の位置にハンドル部２０を取り付け、端面シート部材に給水栓３０を取り付ける。
【００３７】
次に、周面シート部材をロール状にし、合わせた部分の軸方向における両端部のみ溶着する。合わせ部のうち溶着されていない中間部を利用して、ロール状の周面シート部材の両端に端面シート部材を溶着する。その後、周面シート部材の合わせ部の中間部を溶着して閉じると、袋体１１が完成する。
以上により、運動用具Ｅの製造が完了する。
【００３８】
運動用具Ｅを使用する際には、本体部１０に負荷付与物体Ｇ及び空気を充填する。給水栓３０の蓋部４５を外して負荷付与物体Ｇ及び空気を袋体１１に送り込む。負荷付与物体Ｇ及び空気の充填完了後、蓋部４５を取り付けて給水栓３０を閉じる。なお、袋体１１を空にする場合には、中栓部３３を取り外し、貫通孔３１から負荷付与物体Ｇ及び空気を抜くことができる。
【００３９】
次に、本実施例における運動用具Ｅを使用した運動パターンの一例を説明する。
本実施例における運動用具Ｅを使用すれば、多種類の運動をすることができ、負荷を与える部位を様々に変えることができる。具体的には、ハンドル部２０の握り方を変えること、ハンドル部２０の向きを変えること、また、２組のハンドル部２０から把持するハンドル部２０を選択する（ハンドル部２０の角度を選択する）ことにより、多種の異なる運動をすることができる。
【００４０】
ハンドル部２０の握り方は、図１０及び図１４に示すように、手の甲を上にして握る握り方（順手握り）と、図１２及び図１６に示すように、手のひらを上にして握る握り方（逆手握り）とがある。順手握りでは、把持部２１を上から持ち、逆手握りでは、把持部２１を下から（把持空間Ｈに手を差し入れて）持つ。
【００４１】
順手握りでハンドル部２０を持った場合には、図１０及び図１４に示すように、両手を自然に下して運動用具Ｅを下げた状態で、両脇が開き、図１１及び図１５に示すように、肘を曲げて運動用具Ｅを持ち上げた状態では、さらに両脇が開き、両肘が胴体から大きく離れる。
【００４２】
一方、逆手握りでハンドルを持った場合には、図１２及び図１６に示すように、両手を自然に下して運動用具Ｅを下げた状態で、両脇が閉まり、図１３及び図１７に示すように、肘を曲げて運動用具Ｅを持ち上げた状態では、さらに脇が閉まるとともに両肘が胴体に密着する。
すなわち、ハンドル部２０の握り方を変えることで、脇を開ける運動と脇を閉める運動との２パターンの運動をすることができる。
【００４３】
ハンドル部２０の向きは、図２及び図３に示すように、使用者から見て一対のハンドル部２０の奥側の間隔が狭く、手前側の間隔が広くなるハの字の向き（以後、第１の向きと称する）と、図２及び図３の上下を逆にした向き、すなわち一対のハンドル部２０の奥側の間隔が広く、手前側の間隔が狭くなる逆ハの字の向き（以後、第２の向きと称する）とに変えることができる。図１０〜図１３は、使用者が第１の向きでハンドル部２０を持った場合を示し、図１４〜図１７は、使用者が第２の向きでハンドル部２０を持った場合を示している。
【００４４】
順手握りでハンドル部２０を持つ場合には、図１１及び図１４に示すように、第１の向きで持つ方が第２の向きで持つよりも脇が開きやすくなる。逆手握りでハンドル部２０を持つ場合には、図１３及び図１７に示すように、第１の向きで持つ方が第２の向きで持つよりも脇が閉じやすくなる。すなわち、ハンドル部２０の向きを変えることで、脇を開ける運動と脇を閉める運動との２パターンの運動において脇の開き具合または閉じ具合が異なる運動をすることができる。
【００４５】
このように、一組のハンドル部２０の握り方を変えること、またハンドル部２０の向きを変える（運動用具Ｅの向きを変える）ことにより、運動用具Ｅを持ち上げるという一つの運動パターンだけでも４種の異なる運動をすることができる。
加えて、本実施例の運動用具Ｅは、把持するハンドル部２０を選択することができるから、より多様な運動をすることができる。
【００４６】
また、運動によって本体部１０の負荷付与物体Ｇが揺れること（本体部１０の重心の変化）に対してバランスを取る必要があるため、効果的にトレーニングを行うことができる。
【００４７】
次に、上記のように構成された実施例の作用および効果について説明する。
本実施例の運動用具Ｅは、本体部１０と、手で握る把持部２１を有して本体部１０の外面から同方向に突出して設けられた一対のハンドル部２０と、を備え、一対のハンドル部２０は、把持部２１の長さ方向に平行な仮想線Ｌが交差する向きで、本体部１０に取り付けられているものである。この構成によれば、一対のハンドル部２０（第１ハンドル部２０Ｆ及び第２ハンドル部２０Ｓ）の把持部２１が、自然な握り角度に近いように傾いているから、手首にかかる負担を小さくすることができ、もって一般ユーザーが効果的に身体を鍛えることができる。また、ハンドル部２０を持つ向きによって、体幹（胴体）を鍛えやすくしたり、腕を鍛えやすくすることができる。
【００４８】
また、仮想線Ｌの交差角度が異なる複数対のハンドル部２０Ｆ，２０Ｓを備えている。この構成によれば、把持するハンドル部２０を選択することで、負荷を与える部位を変える（多種類の運動をする）ことができる。
【００４９】
また、本体部１０が、中空な袋体１１と、袋体１１の内部に収容された負荷付与物体Ｇと、を備えている。この構成によれば、手首の負担を低減しつつ、本体部１０の重心が変化することによる効果的なトレーニングを行うことができる。
【００５０】
＜実施例２＞
次に、本発明を具体化した実施例２に係る運動用具５０を図１８〜図２３によって説明する。
本実施例の運動用具５０は、仮想線Ｌが平行をなす向きで本体部１０に取り付けられている一対のハンドル部（以後、第３ハンドル部５１と称する）を備えている点で、実施例１とは相違する。なお、実施例１と同様の構成には同一符号を付して重複する説明を省略する。
【００５１】
本実施例の運動用具５０は、一般ユーザーのみならずプロのスポーツ選手が使用しても、十分に効果的なトレーニングを行うことができる運動用具５０である。この運動用具５０は、実施例１のものに比して一回り大きくされている。
【００５２】
本実施例に係る運動用具５０は、実施例１と同様に、本体部１０と、手で握る把持部２１を有して本体部１０の外面から同方向に突出して設けられた一対のハンドル部２０と、を備え、一対のハンドル部２０は、把持部２１の長さ方向に平行な仮想線Ｌが交差する向きで、本体部１０に取り付けられているものである。また、運動器具５０は、実施例１と同様、仮想線Ｌの交差角度が異なる複数対のハンドル部２０Ｆ，２０Ｓを備えている。
【００５３】
本実施例の運動用具５０は、２組のハンドル部２０（第１ハンドル部２０Ｆ及び第２ハンドル部２０Ｓ）に加えて、仮想線Ｌが平行をなす向きで本体部１０に取り付けられている第３ハンドル部５１を備えている（図２１参照）。第１ハンドル部２０Ｆ、第２ハンドル部２０Ｓ及び第３ハンドル部５１は、図２２に示すように、本体部１０の中心軸を基準に１２０度ずつ周方向にずれた位置（本体部１０の周面を周方向に等分する位置）に設けられている。
【００５４】
一対の第３ハンドル部５１は、第１ハンドル部２０Ｆ及び第２ハンドル部２０Ｓと同様、本体部１０の外面から同方向に突出して設けられている。一対の第３ハンドル部５１は、図２１に示すように、把持部２１の長さ方向に平行な仮想線Ｌが、本体部１０の軸線に対して平行な角度で配置されている。一対の第３ハンドル部５１の仮想線Ｌは同一直線上に重なり合っている。
【００５５】
第３ハンドル部５１は、第１ハンドル部２０Ｆ及び第２ハンドル部２０Ｓと、本体部１０の軸方向における位置が揃っている。また、一対の第３ハンドル部５１の間隔は、一対の第１ハンドル部２０Ｆの間隔、また一対の第２ハンドル部２０Ｓの間隔と同じである。なお、第３ハンドル部５１の把持部２１及びハンドル取付部材２３は、第１ハンドル部２０Ｆ及び第２ハンドル部２０Ｓと共通のものが使用されている。
【００５６】
以上のように本実施例の運動用具５０においては、実施例１と同様、把持部２１の長さ方向に平行な仮想線Ｌが交差する向きで、本体部１０に取り付けられている一対のハンドル部２０Ｆ，２０Ｓを備えているから、一般ユーザーが多種類の運動を行って効果的に身体を鍛えることができる。加えて、運動用具５０は、仮想線Ｌが平行をなす向きで本体部１０に取り付けられている一対のハンドル部５１を備えているから、手首を曲げた状態での運動（手首の負担が大きい運動）をすることができ、ハードなトレーニングもすることができる。
【００５７】
＜実施例３＞
次に、本発明を具体化した実施例３に係る運動用具６０を図２４及び図２５によって説明する。
本実施例の運動用具６０は、本体部６１が全体として角柱状（四角いブロック形状）をなしている点で、実施例１とは相違する。なお、実施例１と同様の構成には同一符号を付して重複する説明を省略する。
【００５８】
本実施例に係る運動用具６０は、実施例１と同様に、本体部６１と、本体部６０の外面から同方向に突出して設けられた一対のハンドル部６２と、を備えている。本体部６１は、断面方形状をなし、４つの側面のうち３つの側面にハンドル部６２が設けられている。すなわち、本体部６１の側面のうち１つの面は、ハンドル部６２が設けられていない平坦な面とされている。
【００５９】
本体部６１の各側面に設けられた一対のハンドル部６２の向きは、一面毎に仮想線Ｌの向きが異なっている。詳しくは、ハンドル部６２は、仮想線Ｌが交差する向きで本体部６１に取り付けられている一対のハンドル部６２Ａと、仮想線Ｌが平行をなす向きで本体部６１に取り付けられている２組のハンドル部６２Ｂ，６２Ｃとを備えている。２組のハンドル部６２Ｂ，６２Ｃのうち一方のハンドル部６２Ｂは、仮想線Ｌが、本体部６１の軸線に対して平行な角度で配置され、他方のハンドル部６２Ｃは、仮想線Ｌが、本体部６１の軸線に対して直角な角度で配置されている。
【００６０】
本体部６１の軸方向における両端面のうち一方の端面には、空気または液体の入口である給水栓６３が備えられている。給水栓６３は、逆止弁付きの給水栓であり、本体部６１の端面から本体部６１の軸方向の外側に突出して設けられている。
【００６１】
以上のように本実施例の運動用具６０においては、実施例１と同様、仮想線Ｌが交差する向きで、本体部６０に取り付けられている一対のハンドル部６２Ａを備えているから、一般ユーザーが多種類の運動を行って効果的に身体を鍛えることができる。加えて、運動用具６０は、本体部６１が角柱状をなしているから、運動用具６０を床等に置いたときに、転がることを防ぐことができる。
【００６２】
＜他の実施例＞
本発明は上記記述及び図面によって説明した実施例に限定されるものではなく、例えば次のような実施例も本発明の技術的範囲に含まれる。
（１）上記実施例では、本体部１０が、直線状をなす柱形状のものとされているが、これに限らず、例えば本体部の形状は任意に変更することができ、例えば本体部は、軸線が湾曲したバナナ形状のものや球体等であってもよい。
（２）上記実施例では、本体部１０は、円柱形状とされているが、これに限らず、例えば本体部は、角柱状、または三角柱状であってもよい。
（３）上記実施例では、本体部１０に負荷付与物体Ｇとして液体が入れられているが、これに限らず、例えば本体部には、液体のみならず固体（例えば砂等の粒子体）を入れても良い。
（４）上記実施例では、本体部１０は、袋体１１に負荷付与物体Ｇ及び空気が充填されたものとされているが、これに限らず、例えば本体部は、内部が空洞ではない中実な部材であってもよく、また、空気以外の気体を充填してもよい。
（５）上記実施例では、仮想線Ｌの交差角度が異なる２対のハンドル部２０を備えているが、これに限らず、仮想線の交差角度が異なるハンドル部を１対のみ、または３対以上設けても良い。
（６）上記実施例では、ハンドル部２０の取り付け角度を例示したが、ハンドル部の角度は任意に変更することができる。
（７）上記実施例では、ハンドル部２０が、一定の取り付け角度で本体部１０に固定されているが、これに限らず、ハンドル部を任意の角度に回動して任意の角度に固定可能な固定構造を備えるものとし、例えば使用者がハンドル部の取り付け角度を調整できるものとしてもよい。
（８）上記実施例では、滑り止め部２２が複数の溝を有しているが、これに限らず、滑り止め構造は任意に変更することができ、例えばドット状の突起や窪みを形成したり、摩擦力の高いシート部材を把持部に巻き付ける等してもよい。
（９）上記実施例では、運動用具Ｅを一対のハンドル部２０の並び方向、言い換えると本体部１０の軸方向から見たときに、例えば図６に示すように、一対の第１ハンドル部２０Ｆ同士、または一対の第２ハンドル部２０Ｓ同士が完全に重なり合って、一つのハンドル部２０Ｆ，２０Ｓのみが視認されるが、これに限らず、一対のハンドル部を、本体部の周方向（一対のハンドル部の並び方向と交差方向）に若干ずれた位置、すなわち両ハンドル部の一部が互いに重なって見える範囲でずれた位置に配置してもよい。
（１０）上記実施例では、ハンドル部２０の把持部２１が本体部１０の周面よりも外側に位置しているが、これに限らず、例えば本体部の周面のうちハンドル部の取り付け部位に凹み部を形成し、その凹み部の底面に把持部を取り付けて、把持部が本体部の内側に位置する（本体部の周面よりも外側に飛び出さない）ようにしてもよい。また、ハンドル部の把持部を、凹み部の開口縁に架け渡すようにして取り付け、把持部が本体部の周面と面一に位置するようにしてもよい。
（１１）上記実施例２では、仮想線Ｌが本体部１０の軸線と平行をなす第３ハンドル部５１を備えているが、これに加えてまたはこれに変えて、仮想線が本体部の軸線に対して直角をなすハンドル部を設けてもよい。
【符号の説明】
【００６３】
Ｅ，５０，６０…運動用具
Ｇ…負荷付与物体
Ｌ…仮想線
１０，６１…本体部
１１…袋体
２０，６２Ａ…ハンドル部
２０Ｆ…第１ハンドル部（ハンドル部）
２０Ｓ…第２ハンドル部（ハンドル部）
２１…把持部
５１…第３ハンドル部（ハンドル部）
【図１】
2018201805.tif 000003
【図２】
2018201805.tif 000004
【図３】
2018201805.tif 000005
【図４】
2018201805.tif 000006
【図５】
2018201805.tif 000007
【図６】
2018201805.tif 000008
【図７】
2018201805.tif 000009
【図８】
2018201805.tif 000010
【図９】
2018201805.tif 000011
【図１０】
2018201805.tif 000012
【図１１】
2018201805.tif 000013
【図１２】
2018201805.tif 000014
【図１３】
2018201805.tif 000015
【図１４】
2018201805.tif 000016
【図１５】
2018201805.tif 000017
【図１６】
2018201805.tif 000018
【図１７】
2018201805.tif 000019
【図１８】
2018201805.tif 000020
【図１９】
2018201805.tif 000021
【図２０】
2018201805.tif 000022
【図２１】
2018201805.tif 000023
【図２２】
2018201805.tif 000024
【図２３】
2018201805.tif 000025
【図２４】
2018201805.tif 000026
【図２５】
2018201805.tif 000027